(57)【要約】  本発明は、回転子（１５０）の２つの端部の所で回転子（１５０）の軸（１６０）に固定的に取り付けられた２つの内部ファン（１８１、１８２）を有する冷却システムを組み込んだ密閉回転電気機械に関し、各内部ファンが、内部ファンによって生成された空気流の向きを定め、かつ熱を取り込むことができるフィン（１１３、１２３）を有するフランジ（１１０、１２０）の内面（１１１、１２１）に面する。ケーシングは、電気機械の回転子と固定子（１９０）とを含み、２つのフランジによってシールされるように密閉される。ケーシングおよび各フランジを冷却するために、冷却システムは外部冷却手段も含み、この手段は空気（ファン（１４０））または液体であってよい。【選択図】図６
2019531044.tif 000002
【特許請求の範囲】
【請求項１】
密閉型回転電気機械（１００、２００）であって、
ケーシング（１３０、２３０）内に配置され、複数のコイルを有する固定子（１９０）と、
回転軸（１６０、２６０）に固定されて前記固定子内で回転するように取り付けられた本体を有し、前記軸が軸線（Ｘ）を中心として回転する回転子（１５０）と、
前記回転軸（１６０、２６０）の負荷（１６０ａ、２６０ａ）を駆動する側と、前記回転軸（１６０、２６０）の前記負荷（１６０ｂ、２６０ｂ）を駆動する側と反対の側とを支持する軸受（１７１、１７２）の対と、
前記ケーシングの第１の端部の所に配置され、前記回転軸（１６０、２６０）の前記負荷（１６０ａ、２６０ａ）を駆動する側を支持する前部フランジ（１１０、２１０）と、
前記第１の端部とは反対側の前記ケーシングの第２の端部の所に配置され、前記回転軸（１６０、２６０）の前記負荷（１６０ｂ、２６０ｂ）を駆動する側と反対の側を支持する後部フランジ（１２０、２２０）と、を有し、
前記前部フランジおよび後部フランジが、前記ケーシング（１３０、２３０）をシールするように密閉するためにシーリング手段（１１４ａ、１１４ｂ、１２４ａ、１２４ｂ）を有し、各フランジが、内面（１１１、１２１）と、外面（１１２、１２２）と、前記軸受の一方を受け入れるために前記内面の中央部に位置するレセプタクル（１１６ａ、１２６ａ、２１６ａ、２２６ａ）とを有し、
前記密閉型回転電気機械は冷却システムをさらに有し、
前記冷却システムは、
前記回転子（１５０）が回転する間に前記ケーシング内部に空気流を発生させるために前記ケーシング（１３０、２３０）の内部に配置された内部ファンの対であって、各ファンが、前記回転子（１５０）の前記本体と前記軸受（１７１、１７２）との間において前記回転軸（１６０、２６０）に固定的に取り付けられた、内部ファン（１８１、１８２）の対と、
前記ケーシングと前記前部フランジおよび前記後部フランジとを冷却する外部冷却手段と、を有し、
空気流の向きを定め、前記空気流の熱を取り込むために、前記各フランジの前記内面が、前記軸受（１７１、１７２）の前記レセプタクル（１１６ａ、１２６ａ、２１６ａ、２２６ａ）の周囲部に設けられたフィン（１１３、１２３）を有する、密閉型回転電気機械。
【請求項２】
前記フランジの前記内面の前記フィンは平坦であり、概略的な形状が台形であり、前記回転軸（１６０、２６０）の前記軸線（Ｘ）に直交する複数の底部と、前記レセプタクル（１１６ａ、１２６ａ、２１６ａ、２２６ａ）と向かい合いかつ凹状である辺とを有する、請求項１に記載の電気機械。
【請求項３】
外部空気を前記ケーシング（１３０）に沿って前記前部フランジ（１１０）の方向に送るために、前記外部冷却手段は、前記後部フランジ（１２０）の前記外面（１２２）と対向するように配置され前記回転軸（１６０）に固定的に取り付けられた外部ファン（１４０）を有する、請求項１または２に記載の電気機械。
【請求項４】
前記ケーシング（１３０）は、前記回転軸（１６０）の前記軸線（Ｘ）に平行な軸線に実質的に沿って延びる冷却フィン（１３１）の組を有する外面を有し、
前記後部フランジ（１２０）は、円筒形の周囲部（１２８ｂ）に連結された冠の形をした中央部（１２８ａ）と、前記外部ファン（１４０）によって送られた前記外部空気を前記ケーシング（１３０）の前記外面の前記冷却フィン（１３１）の組立体によって形成される通路に送るために、前記後部フランジ（１２０）の前記中央部（１２８ａ）と前記周囲部（１２８ｂ）との間に配置された少なくとも１つの開口部（１２７）と、を有する、請求項３に記載の電気機械。
【請求項５】
前記空気が前記ケーシングに沿って循環する間に前記ケーシングの外面および前記冷却フィンの近傍に空気を保持するために、前記ケーシング（１３０）に取り付けられ、前記冷却フィン（１３１）を囲む金属プレート（１３２）をさらに有する、請求項４に記載の電気機械。
【請求項６】
前記前部フランジ（１１０）は、円筒形の周囲部（１１８ｂ）に連結された冠の形をした中央部（１１８ａ）を有し、前記周囲部は、外面上で熱を放散させるフィン（１１７）を有し、熱を放散させる各前記フィン（１１７）は、前記回転軸の前記軸線（Ｘ）に平行な軸線に実質的に沿って延び、前記ケーシング（１３０）の前記冷却フィン（１３１）によって形成される各前記通路を延長する、請求項４または５に記載の電気機械。
【請求項７】
前記外部ファン（１４０）は、前記回転軸（１６０）に固定された、前記外部空気を移動させるホィールと、前記外部空気を吸引するためのオリフィス（１２９ａ）を有する保護プレート（１２９）と、を有し、前記プレートは、前記後部フランジ（１２０）の前記周囲部に固定されている、請求項４から６のいずれか１項に記載の電気機械。
【請求項８】
２０ｋＷから７５ｋＷまでの間の出力を有する、請求項１から７のいずれか１項に記載の電気機械。
【請求項９】
前記外部冷却手段は、冷却液体用の吸入口（２３３）と、前記冷却液体用の出口（２３４）と、前記ケーシング（２３０）に接する導管網（２３５）と、を有する冷却液体回路を有し、前記ケーシング（２３０）と前記前部フランジ（２１０）および前記後部フランジ（２２０）とを冷却するために、前記導管網（２３５）内で前記冷却液体が循環する、請求項１に記載の電気機械。
【請求項１０】
前記導管網（２３５）は、前記ケーシング（２３０）に組み込まれた屈曲パイプである、請求項９に記載の電気機械。
【請求項１１】
前記冷却液体は水を含む、請求項９または１０に記載の電気機械。
【請求項１２】
２０ｋＷから１８０ｋＷまでの間の出力を有する、請求項９から１１のいずれか１項に記載の電気機械。
【請求項１３】
同期リラクタンス電気機械である請求項１から１２のいずれか１項に記載の電気機械。
【発明の詳細な説明】
【技術分野】
【０００１】
本発明は、回転電気機械の分野に関し、特に回転電気機械の冷却に関する。
【０００２】
詳細には、本発明は、同期リラクタンス回転電気機械の、特に空気による冷却に関する。
【背景技術】
【０００３】
従来、回転電気機械は、固定された部分、すなわち固定子と、回転運動する部分、すなわち回転子とを有し、固定子と回転子は互いに同軸に配置されている。回転子は一般に、固定子の内部に収容され、固定子は、磁界を発生させて回転子を回転させることを可能にする電気巻線を支持している。回転子は一般に、複数のプレートの積層体によって形成された本体によって形成され、回転軸に配置されている。これらのプレートは、回転子の周囲に複数の磁極を形成する複数の永久磁石またはコイルのためのレセプタクルを有する。各磁石は、回転子の表面上に配置されるか、または回転子と完全に一体化されてもよい。
【０００４】
電気機械は、電磁損失（ジュール効果による損失および鉄損）と機械損失に起因して加熱される。この加熱によって電気機械の機能が損なわれ、性能の低下につながる。たとえば、磁石が冷却されない場合、磁束の強度が低くなって、トルクの低減、従って電気機械の性能の低下につながる。磁石の不可逆的な減磁が生じることがある。巻線も温度上昇に敏感であり、巻線の温度が高くなると、銅の導電率が高くなり、巻線の耐用年数が短くなる。銅の抵抗が高くなったときも、性能が低下する。したがって、回転電気機械の様々な電磁的な構成要素と、電気機械の各部において使用されるいくつかの絶縁材料は、作動中に生じる熱に対して敏感であり、機械の良好な性能を維持し、機械の性能の再現性を確保し、機械の耐用年数を延ばし、メンテナンスを制限するために、生じた熱を放散させるようにこれらの構成要素および絶縁材料の冷却が必須である。
【０００５】
したがって、高性能な冷却の要件は、回転電気機械の製造者および組立者（integrator）にとって重要な課題である。
【０００６】
しばしば機械の出力に適合させられる様々な種類の冷却が存在し、このような冷却には、一般に効率がより低く、モータの内部に悪影響を及ぼす、空気による冷却システムや、特に、電気トラクションモータのように損失がかなり大きいときに使用される、液体、たとえば水またはオイルによる冷却システムが含まれる。ヘリウムまたは液体窒素による他の冷却システムは、発電所の電気機械に使用することができる。
【０００７】
空気による冷却はコスト面で有利な解決策であるが、他の冷却システムと比較して、一般に効率が低く、したがって、低出力の電気機械の冷却に限定されることが多い。これは、たとえば、空気による冷却が一般に出力が２０ｋｗ未満の電気モータに使用されるトラクション用途（traction applications）の場合である。それよりも高い出力レベルでは、液体による冷却システムが実施されることが多い。
【０００８】
さらに、空気による冷却は一般に、電気機械の外部と内部との間で空気を循環させる必要があり、それによって、「開放型」電気機械、すなわち、シールされない電気機械用であり、応用分野がさらに限定される。
【０００９】
（シールされた）「密閉型」電気機械の空気による冷却システムも知られている。これは、軸と一体的なファンによる空気の強制的な対流による機械ハウジングの外部の冷却に限定される。これらのシステムでは、回転子に発生した熱が空隙の空気および固定子に伝達され、固定子の熱がハウジングを介して放出される。しかし、この種のシステムは、機械内部、特に回転子の所で発生した熱を十分に放出せず、特に、非常に高速に回転する電気機械の冷却に使用するのは困難である。したがって、空気による密閉型機械の冷却のためのそのようなシステムの効率は制限され、この場合、そのようなシステムの使用は低出力機械に限定される。
【発明の概要】
【発明が解決しようとする課題】
【００１０】
本発明の課題は、前述した従来技術の欠点を克服し、電気機械に必要とされる性能および出力を確保するために、密閉型回転電気機械用の高性能冷却システムを提供することである。
【００１１】
特に、本発明の目的は、規格ＥＮ６０５２９に基づく高い保護指標「ＩＰ」、一般には保護指標ＩＰ６７を有することができる回転電気機械の軸、回転子、および各コイルのヘッドと、ハウジングとを効率的に冷却するのを可能にすることである。
【００１２】
本発明の目的はまた、機能するために電気エネルギーをまったく消費せず（受動システム）、またはほとんど消費せず、システムの機能に伴う機械損失を制限する冷却システムを提供することである。
【課題を解決するための手段】
【００１３】
したがって、本発明は、上述の目的のうちの少なくとも１つを実現するために、特に密閉型回転電気機械を提案する。この密閉型回転電気機械は、
ケーシング内に配置され、複数のコイルを有する固定子と、
回転軸に固定されて固定子内で回転するように取り付けられた本体を有し、軸が軸線Ｘを中心として回転する回転子と、
回転軸の負荷を駆動する側と、回転軸の負荷を駆動する側と反対の側とを支持する軸受の対と、
ケーシングの第１の端部の所に配置され、回転軸の負荷を駆動する側を支持する前部フランジと、
第１の端部とは反対側のケーシングの第２の端部の所に配置され、回転軸の負荷を駆動する側と反対の側を支持する後部フランジと、を有し、
前部フランジおよび後部フランジが、ケーシングをシールするように密閉するためにシーリング手段を有し、各フランジが、内面と、外面と、軸受の一方を受け入れるために内面の中央部に位置するレセプタクルとを有し、
密閉型回転電気機械は冷却システムをさらに有し、
冷却システムは、
回転子が回転する間にケーシング内部に空気流を発生させるためにケーシングの内部に配置された内部ファンの対であって、各ファンが、回転子の本体と軸受との間において回転軸に固定的に取り付けられた、内部ファンの対と、
ケーシングと前部フランジおよび後部フランジとを冷却する外部冷却手段と、を有し、
空気流の向きを定め、空気流の熱を取り込むために、各フランジの内面が、軸受のレセプタクルの周囲部に設けられたフィンを有する。
【００１４】
好ましくは、フランジの内面のフィンは平坦であり、概略的な形状が台形であり、回転軸の軸線に直交する複数の底部と、レセプタクルと向かい合いかつ凹状である辺とを有する。
【００１５】
本発明の第１の実施形態によれば、外部空気をケーシングに沿って前部フランジの方向に送るために、外部冷却手段は、後部フランジの外面と対向するように配置され回転軸に固定的に取り付けられた外部ファンを有する。
【００１６】
この第１の実施形態によれば、ケーシングは、回転軸の軸線Ｘに平行な軸線に実質的に沿って延びる冷却フィンの組を有する外面を有し、後部フランジは、円筒形の周囲部に連結された冠の形をした中央部と、外部ファンによって送られた外部空気をケーシングの外面の冷却フィンの組立体によって形成される通路に送るために、後部フランジの中央部と周囲部との間に配置された少なくとも１つの開口部と、を有する。
【００１７】
この機械は、空気がケーシングに沿って循環する間にケーシングの外面および冷却フィンの近傍に空気を保持するために、ケーシングに取り付けられ、冷却フィンを囲む金属プレートをさらに有する。
【００１８】
好ましくは、前部フランジは、円筒形の周囲部に連結された冠の形をした中央部を有し、周囲部は、外面上で熱を放散させるフィンを有し、熱を放散させる各フィンは、回転軸の軸線Ｘに平行な軸線に実質的に沿って延び、ケーシングの冷却フィンによって形成される各通路を延長する。
【００１９】
好ましくは、外部ファンは、回転軸に固定された、外部空気を移動させるホィールと、外部空気を吸引するためのオリフィスを有する保護プレートと、を有し、プレートは、後部フランジの周囲部に固定されている。
【００２０】
第１の実施形態によれば、電気機械は、好ましくは２０ｋＷから７５ｋＷの間の出力を有する。
【００２１】
本発明の第２の実施形態によれば、外部冷却手段は、冷却液体用の吸入口と、冷却液体用の出口と、ケーシングに接する導管網と、を有する冷却液体回路を有し、ケーシングと前部フランジおよび後部フランジとを冷却するために、導管網内で冷却液体が循環する。
【００２２】
有利には、導管網は、ケーシングに組み込まれた屈曲パイプである。
【００２３】
好ましくは、冷却液体は水を含む。
【００２４】
第２の実施形態によれば、電気機械は、好ましくは２０ｋＷから１８０ｋＷの間の出力を有する。
【００２５】
本発明に係る電気機械は、好ましくは同期リラクタンス電気機械である。
【００２６】
本発明の他の目的および利点は、限定するわけではないが一例として示す本発明の特定の実施形態についての以下の説明を読むことによって明らかになるであろう。説明では、以下に記載された添付の図面が参照される。
【図面の簡単な説明】
【００２７】
【図１Ａ】機械の冷却が全体的に空気によって実施される本発明の第１の実施形態に係る電気機械の前部の斜視図である。
【図１Ｂ】機械の冷却が全体的に空気によって実施される本発明の第１の実施形態に係る電気機械の後部の斜視図である。
【図２Ａ】本発明の第１の実施形態に係る電気機械の前部フランジの内面の斜視図である。
【図２Ｂ】本発明の第１の実施形態に係る電気機械の前部フランジの外面の斜視図である。
【図３Ａ】本発明の第１の実施形態に係る電気機械の後部フランジの内面の斜視図である。
【図３Ｂ】本発明の第１の実施形態に係る電気機械の後部フランジの外面の斜視図である。
【図４Ａ】２つの内部ファンを有する本発明に係る電気機械の回転部の斜視図である。
【図４Ｂ】２つの内部ファンを有する本発明に係る電気機械の回転部の側面図である。
【図５】本発明の第１の実施形態に係る電気機械を上から見た図である。
【図６】本発明の第１の実施形態に係る電気機械の長手方向断面図である。
【図７Ａ】本発明の第１の実施形態に係る電気機械の後部の、一部を取り外した斜視図である。
【図７Ｂ】本発明の第１の実施形態に係る電気機械の前部の、一部を取り外した斜視図である。
【図７Ｃ】外部ファンによって生成されケーシングの外側を循環する外部空気流を示す、電気機械の長手方向断面図である。
【図８Ａ】本発明の第１の実施形態に係る電気機械の背面を示す平面図である。
【図８Ｂ】本発明の第１の実施形態に係る電気機械の同じ背面を示す斜視図である。
【図９Ａ】空気および液体によって冷却される本発明の第２の実施形態に係る電気機械の前部の斜視図である。
【図９Ｂ】空気および液体によって冷却される本発明の第２の実施形態に係る電気機械の後部の斜視図である。
【図９Ｃ】本発明の第２の実施形態に係る電気機械の長手方向断面図である。
【発明を実施するための形態】
【００２８】
各図において、同じ参照符号は同一または類似の要素を示す。
【００２９】
本発明の目的は、回転子の軸に固定的に取り付けられた２つの内部ファンを有する冷却システムであって、回転子の２つの端部において、各内部ファンが、内部ファンによって生成される空気流の向きを定めて熱を取り込むことができるフィンを有するフランジの内面に面する、冷却システムを組み込んだ密閉型回転電気機械を提案することである。
【００３０】
密閉型電気機械は、回転子および固定子が、ハウジングという用語でも表すことができるシールされたケーシング内に封入された電気機械を意味する。
【００３１】
本発明によれば、ケーシングは、電気機械の回転子および固定子を含んでおり、２つのフランジによってシールされて密閉されている。
【００３２】
冷却システムは、ケーシングおよび各フランジを冷却する外部冷却手段も有しており、冷却は、空気または液体によって行うことができる。
【００３３】
図１Ａおよび図１Ｂは、電動またはハイブリッドの乗物において電気トラクションモータとして使用できる、本発明の第１の実施形態に係る密閉型電気機械を示している。
【００３４】
たとえば、図１Ａおよび図１Ｂに示されているようなモータは、シンクロリラクタントとも呼ばれる同期リラクタンスモータであり、連続出力が３５ｋＷで過渡（ピーク）出力が５２ｋＷであり、ＤＣバス供給電圧３５０Ｖによって作動することができる。
【００３５】
このモータは、同期リラクタンス電気機械に適用されるのが有利であるが、本発明はこの形態の電気機械に限定されず、より広範囲に任意の種類の電気機械、特に出力が２０ｋＷから１８０ｋＷの間の電気機械に関する。より詳細には、第１の実施形態に係る電気機械は、出力が２０ｋＷから７５ｋＷの間であってもよく、後述する第２の実施形態に係る電気機械は、出力が２０ｋＷから１８０ｋＷの間であってもよい。
【００３６】
電気モータ１００は、前部フランジ１１０および後部フランジ１２０によってシールされて密閉されたケーシング１３０を有している。電気モータの複数のコイルを有する固定子と回転子とは、密封されたケーシング１３０に含まれている。ケーシング１３０の内部は、図６によりよく示されており、モータの冷却システムに関連して、以下により詳細に説明する。端子（参照符号なし）を有し、分岐が実施されるボックスが、ケーシング１３０、特にモータの前部においてケーシングを密閉するフランジ１１０の所に固定されている。ケーシング１３０とフランジ１１０および１２０とは、金属、たとえばアルミニウムまたは鉄で作られている。
【００３７】
本発明の第１の実施形態によれば、外部冷却手段は、外部空気をケーシング１３０に沿って前部フランジ１１０の方向に送るために、後部フランジ１２０の外面と向かい合うように配置され、回転子の回転軸１６０に固定的に取り付けられた外部ファン１４０を有している。
【００３８】
軸線Ｘを中心として回転する回転軸１６０は、前部フランジ１１０および後部フランジ１２０によって支持されている。前部フランジ１１０は、ケーシング１３０の第１の端部の所に配置されており、回転軸１６０の負荷を駆動する側を支持している。後部フランジ１２０は、第１の端部と向かい合うケーシングの第２の端部の所に配置されており、回転軸１６０の負荷を駆動する側と反対の側を支持している。
【００３９】
本説明の示唆では、機械の前部が、機械の、回転子の回転軸によって負荷が駆動される側を指しており、機械の後部がその反対側を指している。
【００４０】
より詳細には、前部フランジ１１０および後部フランジ１２０の各々は、図２Ａ、図２Ｂ、図３Ａ、および図３Ｂに示されているように、内面１１１、１２１と、外面１１２、１２２と、内面１１１、１２１の中央部に位置して軸受を受け入れるレセプタクル１１６ａ、１２６ａとを有している。図４Ａおよび図４Ｂに見ることができる軸受１７１および１７２は、回転軸１６０の負荷１６０ａを駆動する側と、回転軸の負荷１６０ｂを駆動する、前述した側の反対の側とを支持している。
【００４１】
前部フランジ１１０および後部フランジ１２０は、ケーシング１３０をシールして密閉するためにシーリング手段を有している。
【００４２】
前部フランジ１１０は、図２Ａおよび図２Ｂに示されており、特に、前部フランジ１１０の内面１１１が図２Ａに示され、前部フランジ１１０の外面１１２が図２Ｂに示されている。
【００４３】
前部フランジ１１０は、冠の形をした中央部１１８ａと、円筒形を有する周囲部１１８ｂとを有している。内面１１１は、ケーシング１３０の内部の方に面しており、内面の中央部に位置し、軸受１７１を受け入れるように構成されたレセプタクル１１６ａを有している。レセプタクル１１６ａは、回転子の回転軸１６０を通過させるように構成されたオリフィス１１６ｂを、レセプタクル１１６ａの中央に有している。シール１１４ｂ、１１４ａが、軸１６０が通過できるようにオリフィス１１６ｂの所に設けられるとともに、ケーシング１３０に接するように構成された周囲部１１８ｂの周縁に設けられている。フランジ１１０の周囲部１１８ｂは、前部フランジ１１０をケーシング１３０に固定するために、固定点１１５、たとえば、図示されている例では４つの固定点１１５も有している。
【００４４】
本発明によれば、前部フランジ１１０の内面１１１は、軸受のレセプタクル１１６ａの周囲に設けられた一連のフィン１１３を有している。これらのフィンは、図４Ａ、図４Ｂ、および図６に関連して後述するように、軸受と回転子１５０との間に配置された内部ファン１８１を回転させることによって生成される空気流の向きを定め、この空気流の熱を取り込むという目的を果たす。前部フランジ１１０の内面１１１は、たとえば１２個のフィン１１３を有している。
【００４５】
各フィン１１３はレセプタクル１１６ａの周りに規則的に分散されることが好ましい。各フィンとフランジの本体とは、たとえば型による製造中に得られる（一体型の）単体部品を形成することが好ましい。有利には、各フィンは、特定の内部空気の循環に寄与するような形状を有し、それによって機械のコイルヘッドおよび回転部を効率的に冷却する。各フィンは、好ましくは平坦であり、概略的な形状が台形であり、各底部（互いに平行な向かい合う辺）が軸線Ｘに直交しており、レセプタクル１１６ａと向かい合う辺が、直線ではなく曲線であり、（フィンの半径方向延長部においてフランジの周囲１１８ｂに位置する点に対して）凹状である。フィンの縁部がこのように凹状であることによって、各コイルヘッドへの最適な近接が実現するとともに、効率的な冷却のための最適化された空気流が確保される。フィンについてのこの説明は、フランジの表面上に見ることができる部分に基づく（フランジの断面に基づく説明ではない）。フィンを通過する長手方向断面図によれば、フィンは、概略的な形状が矩形の台形（rectangular trapezium）であり、各底部（bases）と直角を形成する一辺が、レセプタクル１１６の壁を構成している（図６に示されている）。各内部フィンは、ある程度、鳥の翼の形を有しており、その肩羽の部分がフランジの内面と向かい合っている。各フィンの寸法は、内部ファンとの近接を維持するように、内部ファンと、内部ファンに向かい合う各フィンの頂部との間に最大空間が残されるような寸法であり、この近接は、機械のフランジと各内部要素との間に残された自由空間において空気が良好に循環するように構成される。限定するわけではない一例として、長さが約２０ｍｍの内部フィンを備えている、内径が約２０ｃｍのフランジを有する装置では、内部ファンと各フィンの頂部との間に４ｍｍ〜５ｍｍの空間が残される。この場合、各フィンの長さ（高さでもある）は、軸線Ｘに沿った各フィンの寸法と理解される。
【００４６】
前部フランジ１１０の周囲部１１８ｂは、フランジ１１０の外面１１２上で熱を放散させるフィン１１７をさらに有することが好ましい。放熱フィン１１７は、回転子の軸線Ｘに平行な軸線に実質的に沿って延びている。ケーシング１３０が、図５に示されているように冷却フィン１３１の組を有する外面を有する場合、前部フランジ１１０の各フィン１１７は、ケーシング１３０の冷却フィン１３１によって形成される通路を延長する。
【００４７】
後部フランジ１２０は、図３Ａでは後部フランジ１２０の内面１２１によって示され、図３Ｂでは後部フランジ１２０の外面１２２によって示されているが、円筒形の周囲部１２８ｂに連結された冠の形をした中央部１２８ａを有している。前部フランジ１１０と同様に、ケーシング１３０の内部の方を向いた内面１２１は、内面の中央部に位置し軸受１７２を受け入れるように構成されたレセプタクル１２６ａを有している。このレセプタクル１２６ａは、回転子の回転軸１６０を通過させるように構成されたオリフィス１２６ｂをレセプタクル１２６ａの中央に有している。シール１２４ｂ、１２４ａが、軸１６０が通過できるようにオリフィス１２６ｂの所に設けられるとともに、ケーシング１３０に接するように構成された中央部１２８ｂの周縁に設けられている。後部フランジ１２０の周囲部１２８ｂおよび中央部１２８ａは、フランジをケーシングに固定するための点も有する連結部１２５を備えている。たとえば、後部フランジ１２０は、４つの固定点（たとえば、ねじを通過させるためのオリフィス）を含む４つの連結部１２５を有している。
【００４８】
本発明によれば、前部フランジ１１０と同様に、後部フランジ１２０の内面１２１は、軸受のレセプタクル１２６ａの周囲に設けられたフィン１２３の組を有している。これらのフィン１２３は、以下に図４Ａ、図４Ｂ、および図６に関連して後述するように、軸受と回転子１５０との間に配置された内部ファン１８２が回転することによって発生する空気流の向きを定め、この空気流の熱を取り込むという同じ機能を有する。後部フランジ１２０の内面１２１は、たとえば１２個のフィン１２３を有している。
【００４９】
各フィン１２３は、レセプタクル１２６ａの周りに規則的に分散されることが好ましい。フィン１２３の形状および寸法は、前述した前部フランジ１１０の内面１１１の各フィン１１３の形状および寸法と同一であることが好ましい。
【００５０】
後部フランジ１２０は、外部ファン１４０によって送られる外部空気をケーシング１３０に沿って送るために、具体的には、この空気をケーシング１３０の外面の冷却フィン１３１の組によって形成された通路に送り込むために、中央部１２８ａと周囲部１２８ｂとの間に配置された少なくとも１つの開口部１２７を有している。後部フランジ１２０は、たとえば、図３Ａおよび図３Ｂに示されているようにこの種の４つの開口部を有している。これらの開口部２０７は、たとえば、円弧の形を有しており、フランジ１２０の中央部１２８ａの周縁に規則的に分散されている。
【００５１】
図５は、本発明の第１の実施形態に係るモータの上から見た図に相当し、モータの側部をより詳細に示している。ケーシング１３０は、一般に金属、たとえば、鉄またはアルミニウムで作られており、回転子Ｘの軸線に実質的に平行な軸線に沿って延びる一連の冷却フィン１３１をケーシング１３０の外面上に有していてもよい。軸線Ｘに実質的に平行であるとは、この軸線に対しておおよそ２５°以内であることを意味する。これらの冷却フィン１３１は、熱をより多く放散させるようにケーシング１３０の空気との交換表面を増大させ、空気流を一方のフランジから別のフランジまでケーシングの全長に広がるようにケーシングの表面の外側に送るという目的を果たす。前部フランジ１１０の周囲部も、好ましくはケーシング１３０の冷却フィンと同じ方向に向けられた放散フィン１１７を有する場合には、外部空気の流れが連続的になり、したがって、ケーシングおよび前部フランジの冷却が向上する。
【００５２】
この説明では、外部空気は、密閉された回転電気機械の外部の空気を意味し、内部空気は、密閉型電気機械内に含まれる空気、より具体的には機械のシールされたケーシング内に含まれる空気を意味する。
【００５３】
有利には、電気モータは、金属プレート１３２をさらに有しており、各金属プレート１３２は、好ましくはアルミニウムで作られ、ケーシング１３０に取り付けられ、各冷却フィン１３１を囲んでおり、空気をケーシングに沿って循環させる間にケーシング１３０の外面と冷却フィン１３１との近傍に空気を維持する。図５に示されているモータの例では、各金属プレート１３２は、ケーシングの外面の形状に追従するようにわずかに湾曲している。図５において、各金属プレート１３２は、金属プレート１３２の下に位置する構造を示すために透明なものとして示されている。同じことが、外部ファン１４０を透過的に示している後部フランジ１２０にも当てはまる。各金属プレート１３２は、ケーシングの周りに規則的に分散され、たとえば、８枚のプレートがケーシングに固定され、ケーシングの周りに離間されたユニットを形成するように複数の対にまとめられることが好ましい。
【００５４】
各金属プレート１３２は、外部ファン１４０によって送られる外部空気を循環させる通路を残すようにケーシングに取り付けられている。したがって、後述する図７Ａを見ると明確にわかるように、各金属プレート１３２は、後部フランジ１２０の周囲部に支持されてもよい。
【００５５】
図４Ａおよび図４Ｂは、本発明に従って２つの内部ファン１８１および１８２を支持する電気機械の回転部の斜視図および側面図である。回転子１５０は回転軸１６０に固定され、回転軸１６０は、回転軸１６０の負荷１６０ａを駆動する側と、回転軸１６０の負荷１６０ｂを駆動する側と反対の側とにおいて、軸受１７１および１７２、たとえば玉軸受によってそれぞれ支持されている。回転子１５０は、固定子１９０（図４Ａおよび図４Ｂには示されていない）内で回転運動可能に取り付けられている。本発明によれば、構想される実施形態にかかわらず、第１のファン１８１および第２のファン１８２は、回転子の両側で、回転子の本体と軸受１７１、１７２との間において回転軸１６０に固定的に取り付けられている。したがって、第１のファン１８１は、モータの前部側に配置され、モータの前部フランジ１１０の内面１１１に面しており、第２のファン１８２は、モータの後部側に配置され、後部フランジ１２０の内側１２１に面している。内部ファン１８１、１８２のこの対は、回転子が回転する間にケーシングの内部に空気流を発生させるためにケーシングの内部に配置されている。
【００５６】
図６は、本発明の第１の実施形態に係るモータ１００の断面図であり、機械の各要素を示し、作動する内部ファン１８１および１８２と、ケーシング１３０内の機械の構成要素、特にフランジ１１０および１２０の内面の構造との間の相互作用によって生じる、シールされたケーシングの内部における空気の循環を図示している（空気の流れ１９２を矢印で示している）。
【００５７】
モータ１００は、ケーシング１３０内に配置され、コイルを有する固定子１９０を有しており、固定子１９０内には、回転軸１６０に固定された回転子１５０が回転運動可能なように取り付けられている。モータの冷却システムは、第１に、各フランジのフィンと相互作用する内部ファン１８１および１８２の対を有し、第２に、ケーシングと前部フランジおよび後部フランジとを冷却するために外部冷却手段、すなわち、第１の実施形態における外部ファン１４０を有している。
【００５８】
回転軸が回転する間に、向きを定められた内部空気流を発生させ、内部空気流の熱が、各フランジの内面のフィンによって取り込まれるように、内部ファン１８１および１８２が前部フランジ１１０および後部フランジ１２０の内面１１１および１２１のフィン１１３および１２３と相互作用する。
【００５９】
より具体的には、前部フランジ１１０および後部フランジ１２０の内面１１１、１２１のフィン１１３、１２３は、各内部ファン１８１、１８２によって生成された空気流１９２を、半径方向において固定子１９０の各コイルのヘッド１９１に向かって送り（回転軸１６０の軸線Ｘを中心として遠心方向に沿って流れさせ）、次いで空気流を各コイルのヘッド１９１からフランジの中央に向かって戻す。すなわち、まず各コイルヘッドにおいて軸線Ｘに平行な方向に沿って送り、次いで半径方向において回転軸に向かって送る（軸線Ｘに平行に流れさせ、次いで軸線Ｘを中心として求心方向に沿って流れさせる）。したがって、この種の内部空気の循環は、モータの前部側および後部側、回転子１５０の両側で行われる。内部空気流の向きを定めることに加えて、各フランジ１１３および１２３の内面のフィンは、空気流の熱を放散させ、したがって、回転機械の軸１６０および回転子１５０と各コイルヘッド１９１とを冷却するのを可能にする。ファン１４０は、後部フランジ１２０の外面上に位置しており、外部空気流を発生させることによってケーシング１３０および各フランジの冷却に寄与する。外部空気流は、まず半径方向において後部フランジ１２０の外面の周囲に向かって送られ、次いで、ケーシング１３０の外面と隣り合うように、回転軸線Ｘに平行に前部フランジ１１０に向かって送られる。ケーシング１３０の外面は、好ましくは冷却フィン１３１を備え、好ましくは空気流をケーシング１３０の外面上にとどめる金属プレート１３２の下に位置する。したがって、空気は好ましくは、軸線Ｘに実質的に沿って延びるフィン同士の間に形成された各通路に流入するとともに、各金属プレートとケーシング１３０の外面との間に形成された空間にとどめられる。有利なことに、後部フランジ１２０の各開口部１２７は、ファン１４０によってフランジの外面から、好ましくは冷却フィン１３１を備えるケーシング１３０の外面に送られる外部空気が通過するのを可能にする。
【００６０】
外部空気流は、図７Ａ、図７Ｂおよび図７Ｃに矢印１９３によって示されている。図７Ａ、図７Ｂおよび図７Ｃは第１の実施形態に係るモータを、背面図、正面図および長手方向断面図でそれぞれ示している。
【００６１】
外部ファン１４０は、回転軸１６０に固定された、外部空気を移動させるホィールと、後部フランジ１２０の周囲部１２８ｂに固定された保護プレート１２９とを有している。外部ファン１４０は図８Ａおよび図８Ｂに明確に見ることができ、図８Ａおよび図８Ｂはそれぞれ、第１の実施形態に係るモータの背面の平面図と、同じ背面の斜視図である、保護プレート１２９は、ファン１４０の駆動ホイールによって吸引される外部空気を吸入するためのオリフィス１２９ｂを有している。外部ファン１４０は、内部ファン１８１および１８２よりも大きい寸法を有している。ファン１４０の寸法は、最適な冷却を実現するように、モータの出力および最大回転速度に応じて選択される。
【００６２】
図９Ａ、図９Ｂおよび図９Ｃに示されている第２の実施形態によれば、本発明に係る機械は、液体によってモータのケーシングを冷却する装置を有している。
【００６３】
本発明の第１の実施形態に係るモータと同様に、モータ２００は、
ケーシング２３０内に配置され、複数のコイルを有する固定子と、
回転軸２６０に固定されて固定子内で回転するように取り付けられた本体を有する回転子と、
回転軸２６０の負荷２６０ａを駆動する側と、回転軸２６０の負荷２６０ｂを駆動する側と反対の側とを支持する軸受の対と、
ケーシング２３０の第１の端部の所に配置され、回転軸２６０の負荷２６０ａを駆動する側を支持する前部フランジ２１０と、
第１の端部とは反対側のケーシング２３０の第２の端部の所に配置され、回転軸２６０の負荷２６０ｂを駆動する側と反対の側を支持する後部フランジ２２０と、を有し、
前部フランジおよび後部フランジは、ケーシング２３０をシールするように密閉するためにシーリング手段を有し、各フランジが、内面と、外面と、前記軸受の一方を受け入れるために内面の中央部に位置するレセプタクル２１６ａ、２２６ａとを有し、
モータ２００は、
回転子が回転する間にケーシングの内部に空気流を発生させるためにケーシングの内部に配置された内部ファンの対を有する冷却システムであって、各ファンが、回転子の本体と軸受との間において回転軸に固定的に取り付けられている、冷却システムをさらに有し、
空気流の向きを定め、前記空気流の熱を取り込むために、各フランジの内面が、軸受のレセプタクルの周囲部に設けられたフィンを有する。
【００６４】
第２の実施形態によれば、機械の内部の冷却は、第１の実施形態に関連して説明した冷却と同じであり、すなわち、前述したように、内部ファンの対が、前部フランジおよび後部フランジの内面のフィンと相互作用する。
【００６５】
第２の実施形態によれば、ケーシングと前部フランジおよび後部フランジとを冷却する外部冷却手段は、冷却液体回路を有する。この回路は、冷却液体用の吸入口２３３と、冷却液体用の出口２３４と、ケーシング２３０と接する導管網２３５とを有しており、ケーシング２３０と前部フランジ２１０および後部フランジ２２０とを冷却するために、導管網２３５内で、水、または機械を冷却することができる任意のその他の液体が循環する。
【００６６】
有利なことに、導管網は、図９Ｃを見ると分かるように、ケーシング２３０に組み込まれた屈曲パイプ（ワインディングパイプ）であり、図９Ｃでは、開口部２３５が、モータの長手方向断面図による屈曲パイプに相当する。
【００６７】
図９Ａ、図９Ｂおよび図９Ｃに示されているモータ２００の例では、モータは密閉されており、すなわち、モータは、ケーシング２３０と前部フランジ２１０および後部フランジ２２０とによって形成された、シールされたケースを有している。各フランジはケーシングをシールするように密閉する。より詳細には、前部フランジ２１０とケーシング２３０の一部とは、単一部材であり、後部フランジ２２０とケーシング２３０の一部とは第２の単一部材を形成しており、２つの部材を接合すると、シールされたケースが形成され、ケーシング２３０内に屈曲パイプを組み込むことが可能になる。
【００６８】
この液体冷却回路は、フランジ２１０および２２０を含むモータ２００のケーシング２３０全体を、これらの要素と冷却液体との間の熱交換によって冷却することを可能にする。
【００６９】
本発明は、有利なことに、同期リラクタンスモータ、好ましくは出力が２０ｋＷから１８０ｋＷまでの間の機械に適用される。限定するわけではないが一例として、本発明に係る冷却モータは、連続出力が３０ｋＷであり、過渡（ピーク）出力が５２ｋＷであり、３５０ＶのＤＣバス供給電力によって作動することができる。この冷却モータは、以下の寸法、すなわち、回転子の外径１３４ｍｍ、固定子の外径２００ｍｍ、ケーシングの外径２５０ｍｍ、モータの長さ２１４ｍｍ、（回転子の各プレートの積層体の長さに相当する）能動部分の長さ１００ｍｍにすることができる。
【図１Ａ】
2019531044.tif 000003
【図１Ｂ】
2019531044.tif 000004
【図２Ａ】
2019531044.tif 000005
【図２Ｂ】
2019531044.tif 000006
【図３Ａ】
2019531044.tif 000007
【図３Ｂ】
2019531044.tif 000008
【図４Ａ】
2019531044.tif 000009
【図４Ｂ】
2019531044.tif 000010
【図５】
2019531044.tif 000011
【図６】
2019531044.tif 000012
【図７Ａ】
2019531044.tif 000013
【図７Ｂ】
2019531044.tif 000014
【図７Ｃ】
2019531044.tif 000015
【図８Ａ】
2019531044.tif 000016
【図８Ｂ】
2019531044.tif 000017
【図９Ａ】
2019531044.tif 000018
【図９Ｂ】
2019531044.tif 000019
【図９Ｃ】
2019531044.tif 000020
【国際調査報告】
2019531044.tif 000021
2019531044.tif 000022
2019531044.tif 000023
2019531044.tif 000024
2019531044.tif 000025
2019531044.tif 000026